(57)【要約】【課題】コストを抑えるとともに、施錠・解錠操作が簡単な落とし錠を備えた雨戸装置を提供する。【解決手段】開きにスライド開閉する雨戸５，５のうち、一方の雨戸５の合掌框１４ｃに、落とし錠３５が設けられ、下枠３ｂに落とし錠受け３７が設けられ、他方の雨戸５の合掌框１４ｄには、落とし錠側に延出して、この落とし錠３５が挿通可能な挿通孔３６ａを備えたガイド部材３６が設けられている。落とし錠３５を下降操作すると、落とし錠３５がガイド部材３６の挿通孔３６ａを挿通したうえで、落とし錠受け３７に固定されて施錠される。よって、一つの落とし錠３５で施錠・解錠を行えるので、コストを抑えるとともに、施錠・解錠操作が簡単になる。【選択図】図５
2007120149.tif 000002
【特許請求の範囲】
【請求項１】
建物の開口部に設けられた窓の室外側に配置される上枠および下枠を備え、少なくとも前記上枠に両開きにスライド開閉自在に設けられる雨戸とを備えた雨戸装置であって、
前記両開きにスライド開閉する雨戸のうち、一方の雨戸の合掌部には、落とし錠が設けられ、前記下枠には前記落とし錠受けが設けられ、
他方の雨戸の合掌部には、前記落とし錠側に延出して、この落とし錠が挿通可能な挿通孔を備えたガイド部材が設けられていることを特徴とする雨戸装置。
【発明の詳細な説明】
【技術分野】
【０００１】
本発明は、雨戸が両開きにスライドする雨戸装置に係り、特に落とし錠が設けられたものに関する。
【背景技術】
【０００２】
従来、この種の雨戸装置の一例として、特許文献１に記載に記載のものが知られている。この雨戸装置は、建物の開口部に設けられた窓の室外側に配置される上枠、下枠及び左右の縦枠からなる枠と、少なくとも前記上枠にスライドレールを介して両開きにスライド開閉自在に設けられる雨戸とを備え、前記スライドレールは、少なくとも上枠に設けられた固定レールと、該固定レールに直接または間接的にスライド自在に支持された左右の可動レールとを有し、該可動レールが雨戸の背面部に設けられ、前記雨戸が全開時に両縦枠より外側に突出した状態に保持されるように構成されているものである。
この雨戸装置の一方の雨戸の合掌框には、鎌錠が設けられ、他方の雨戸の合掌框には施錠時に鎌錠から回動しながら突出する円弧状の鎌形ボルトを引っ掛けるための受座が設けられており、鎌形ボルトを受座に引っ掛けることによって施錠するようになっている。
【０００３】
ところで、雨戸装置においては、このような鎌錠に代えて、落とし錠を採用する場合がある。
落とし錠は上下にスライドするロッドを備え、例えば雨戸の下端部に取り付けられる。一方、雨戸がスライド開閉自在に設けられる枠の下枠に、前記ロッドを受ける孔状の落とし錠受けが設けられる。そして、雨戸の閉時に、落とし錠のロッドを下降させて、その下端部を落とし錠受けに挿入することによって、雨戸を固定するようになっている。
【０００４】
【特許文献１】特開２００５−１２０７０９号公報
【発明の開示】
【発明が解決しようとする課題】
【０００５】
しかしながら、雨戸が両開きにスライドする雨戸装置において、落とし錠を採用した場合、両雨戸にそれぞれ落とし錠を設けるとともに、下枠にもそれぞれ落とし錠受けを設けなければならないので、コスト高になるとともに、施錠・解錠の際に、それぞれの落とし錠を操作しなければならず、手間がかかるという問題がある。
【０００６】
本発明は、このような事情に鑑みてなされたもので、コストを抑えるとともに、施錠・解錠操作が簡単な落とし錠を備えた雨戸装置を提供すること目的とする。
【課題を解決するための手段】
【０００７】
前記目的を達成するために、本発明に係る雨戸装置は、建物の開口部に設けられた窓の室外側に配置される上枠および下枠を備え、少なくとも前記上枠に両開きにスライド開閉自在に設けられる雨戸とを備えた雨戸装置であって、
前記両開きにスライド開閉する雨戸のうち、一方の雨戸の合掌部には、落とし錠が設けられ、前記下枠には前記落とし錠受けが設けられ、
他方の雨戸の合掌部には、前記落とし錠側に延出して、この落とし錠が挿通可能な挿通孔を備えたガイド部材が設けられていることを特徴とする。
【発明の効果】
【０００８】
本発明の雨戸装置によれば、両開きにスライド開閉自在に設けられる両雨戸の合掌部を互いに当接して雨戸を閉じると、他方の雨戸の合掌部に設けられたガイド部材が、一方の雨戸の合掌部に設けられた落とし錠側に位置する。この状態で、落とし錠を下降操作すると、該落とし錠がガイド部材の挿通孔を挿通したうえで、下枠に設けられた落とし錠受けに固定されて施錠される。また、解錠する場合は落とし錠を上昇操作して、該落とし錠を落とし錠受けおよび挿通孔から抜き取ればよい。
このように、両開きの雨戸においても、一つの落とし錠で施錠・解錠を行えるので、コストを抑えるとともに、施錠・解錠操作が簡単になる。
【発明を実施するための最良の形態】
【０００９】
以下、添付した図面を参照しながら、本発明の実施の形態を説明する。
図１は本発明の実施の形態に係る雨戸装置を示す全閉時の室外側正面図、図２は同雨戸装置の全開時の室外側正面図、図３は図１の縦断面図、図４は図１の横断面図、図５は落とし錠を示す図である。
【００１０】
これらの図において、１は雨戸装置であり、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、少なくとも前記上枠３ａに上スライドレール４を介して両開きにスライド開閉自在に設けられる雨戸（例えば鎧戸、戸体ともいう。）５，５とを備えている。
前記窓２は、上げ下げ窓であり、上枠６ａ、下枠６ｂ及び左右の縦枠６ｃ，６ｄからなる枠内に、室外側の上障子７と、室内側の下障子８とを、上障子７は枠に固定して、下障子８は上下動自在に取り付けてなるものである。上枠６ａにはバランサ８ａが取り付けられており、このバランサ８ａによって下障子８は任意の高さ位置に停止可能となっている。
雨戸装置１の枠３は窓２の枠の外側に配置され、躯体外壁に固定されている。また、雨戸装置１の枠３は窓２の枠より外側に突出している。
なお、本実施の形態では、窓２は上げ下げ窓であるが、これに限らず、引違い窓等であってもよい。
【００１１】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップが取り付けられている。前記枠３の上枠３ａ及び下枠３ｂが建物の躯体の外壁に固着具例えばネジ１１で固定されている。
各雨戸（戸体）５は、上框１４ａ、下框１４ｂ及び左右の縦框である合掌框１４ｃ，１４ｄと戸先框１４ｅからなる框組内にパネル１５を組込んで構成されている。
【００１２】
前記上スライドレール４は、上枠３ａに設けられた上固定レール４ａと、該上固定レール４ａに上中間レール４ｂを介してスライド自在に支持された左右の上可動レール４ｃとを有し、該上可動レール４ｃが雨戸５の背面部、すなわち上框１４ａの背面部（室内面）に設けられている。上枠３ａは下向きの凹溝１６を有しており、この凹溝１６内の室外面に上固定レール４ａがネジ１７で取り付けられている。また、雨戸５の上框１４ａの室内面に前記上可動レール４ｃが取り付けられている。そして、上スライドレール４により前記雨戸５は全開時に両縦枠３ｃより外側に突出した状態に保持されるように構成されている。
【００１３】
前記上固定レール４ａは、上枠３ａの略全長に対応する長さの一本のレールからなっている。上中間レール４ｂと上可動レール４ｃは、それぞれ上固定レール４ａの略半分の長さとされている。上固定レール４ａと上可動レール４ｃは、共に室内外方向の寸法を抑えた扁平形の横断面略Ｃ字状に形成され、内側（内部）に上中間レール４ｂを挟み込む（覆い包む）ように相対向して配置されている。上中間レール４ｂには上固定レール４ａの上下の溝と、上可動レール４ｃの上下の溝にそれぞれ対向する４つの溝が形成されており、各対向する溝間にはボールベアリングとしてのボール（鋼球）２１が複数個ずつ設けられている。上固定レール側には、上固定レール側の上下のボール２１を上固定レール４ａの長手方向に所定の間隔で回転自在に保持する上固定レール側のボールリテーナー２２がレール長手方向に移動自在に設けられている。上可動レール側には、上可動レール側の上下のボール２１を上可動レール４ｂの長手方向に所定の間隔で回転自在に保持する上可動レール側のボールリテーナー２３がレール長手方向に移動自在に設けられている。
【００１４】
上可動レール４ｃの伸張時（雨戸の全開時）にその最大伸張位置を規定するために、上可動レール４ｃの後端部（収縮側）には、上可動レール側のボールリテーナー２３の後端部に当接して上可動レール４ｃの伸張方向への移動を停止させる第１ストッパー（図示略）が設けられ、上中間レール４ｂの先端部（伸張側）には上可動レール側のボールリテーナー２３の先端部に当接して当該ボールリテーナー２３の伸張方向への移動を停止させる第２ストッパー（図示略）が設けられている。また、上中間レール４ｂの後端（収縮側）には上固定レール側のボールリテーナー２２の後端部に当接して上中間レール４ｂの伸張方向への移動を停止させる第３ストッパー（図示略）が設けられ、上固定レール４ａの先端部（伸張側）には上固定レール側のボールリテーナー２２の先端部に当接して当該ボールリテーナー２２の伸張方向への移動を停止させる第４ストッパー（図示略）が設けられている。
【００１５】
なお、上可動レール４ｃの収縮時（雨戸の全閉時）には、左右の上可動レール４ｃ同士が当接して収縮方向への移動が停止されるようになっている。雨戸５の上部である上框１４ａには、上スライドレール４の上部、特に雨戸全開時に上枠３ａの外側方へ突出される上中間レール４ｂ及び上可動レール４ｃの上部を覆う覆い部（雨避け）２５が設けられ、上スライドレール４のボールベアリングに注入された潤滑材例えばグリースが雨で洗い流されるのを防止している。
【００１６】
雨戸装置１の下枠３ｂは上向きの凹溝２８を有しており、この凹溝２８には雨戸５の下端部が収容されており、この雨戸５の下端部が下スライドレール３０を介してスライド開閉自在に支持されている。
この下スライドレール３０は、下枠３ｂに取り付けられた下固定レール３０ａと、該下固定レール３０ａに下中間レール３０ｂを介してスライド自在に支持された下可動レール３０ｃとを有しており、下可動レール３０ｃが雨戸５の下端背面部に取り付けられている。前記下中間レール３０ｂは、中間レール本体３０ｄと、この中間レール本体３０ｄの一方の側面に取り付けられて、下固定レール３０ａを転動可能な複数の第１戸車３０ｅと、中間レール本体３０ｄの他方の側面に取り付けられて、下可動レール３０ｃを相対的に転動可能な複数の第２戸車３０ｆとを備えている。そして、下スライドレール３０によっても雨戸５は全開時に両縦枠３ｃより外側に突出した状態に保持されるように構成されている。つまり、雨戸５はスライドレール４と下スライドレール３０によって、全開時に両縦枠３ｃより外側に突出した状態に保持されるように構成されている。
【００１７】
このように、雨戸５が上下のスライドレール４，３０によって、全開時に両縦枠３ｃ，３ｃより外側に突出した状態に保持されるので、雨戸全開時における雨戸５のバタツキや転びを防止でき、また、雨戸５の開閉力を低減できる。
また、第１戸車３０ｅと第２戸車３０ｆとは、その軸を上下に若干ずらして配置されている。つまり、第１戸車３０ｅは第２戸車３０ｆより中間レール本体３０ｄに若干上方位置で連結されている。このように構成することによって、雨戸全開時において、雨戸５の戸先框１４ｅ側に下方に向かう荷重（重力）が作用した場合における雨戸５の傾き（転び）を抑制できる。
【００１８】
図５に示すように、両開きにスライド開閉する雨戸５，５のうち、一方の雨戸５の合掌框（合掌部）１４ｃには落とし錠３５が設けられている。また、他方の雨戸５の合掌框（合掌部）１４ｄの下端部には、落とし錠３５側に延出するガイド部材３６が設けられており、このガイド部材３６には挿通孔３６ａが形成されている。一方、雨戸装置１の下枠３ｂには、落とし錠受け３７が設けられている。
【００１９】
落とし錠３５は、上下にスライド可能なロッド３８と、このロッド３８を上下にスライド可能に支持する支持部３９とから構成されている。
ロッド３８は上下に長尺な帯板状に形成されており、その上端部にはロッド３８を上下にスライド操作するための操作レバー３８ａが設けられている。この操作レバー３８ａはその上端部が水平方向に突出しており、この突出部３８ｂの下側には凹部３８ｃが形成されている。したがって、ロッド３８を下降させるには、操作レバー３８ａの突出部３８ｂを上方から指によって押し下げ、ロッド３８を上昇させるには、操作レバー３８ａの凹部３８ｃに指を入れて突出部３８ｂを引き上げればよい。なお、操作レバー３８ａには、「開」および「閉」の文字が、上下の矢印とともに表示されている。
また、前記ロッド３８は支持部３９を挿通して下方に延在しており、その先端部には面取部が形成されている。
【００２０】
前記支持部３９は、合掌框１４ｃにビス止めされたケーシング３９ａと、このケーシング３９ａに内蔵されたねじりコイルバネ３９ｂとを備えている。ケーシング３９ａには、ロッド３８が上下に摺動自在に挿通されており、このケーシング３９ａに挿通されているロッド３８にはピン３８ａがロッド３８に対して略直角に立設されている。また、ケーシング３９ａ内には、ピン３９ｃが設けられている。そして、ねじりコイルバネ３９ｂの一端部は前記ピン３８ａに係止されており、他端部は前記ピン３９ｃに係止されている。
【００２１】
そして、ロッド３８が上昇位置にある場合には、ピン３８ａがピン３９ｃより斜め上方に位置しており、この状態において、ねじりコイルバネ３９ｂは開く方向に付勢されており、これによって、ピン３８ａは斜め上方に付勢されている。なお、このピン３８ａはケーシング３９ａに形成された縦溝内を移動可能となっており、ピン３８ａが斜め上方に付勢された状態でこのピン３８ａは縦溝の上端部に当接している。
一方、ロッド３８が下降位置にある場合には、ピン３８ａがピン３９ｃより斜め下方に位置しており、この状態において、ねじりコイルバネ３９ｂは開く方向に付勢されており、これによって、ピン３８ａは斜め下方に付勢されている。ピン３８ａが斜め下方に付勢された状態でこのピン３８ａは縦溝の下端部に当接している。
【００２２】
そして、このような支持部３９では、上昇位置からロッド３８を指によって押し下げると、ねじりコイルバネ３９ｂがピン３９ｃを支点として下側に回転しながらピン３８ａが下方にスライドしていき、ピン３８ａがピン３９ｃより下方に達すると、ねじりコイルバネ３９ｂによってピン３８ａが下方に付勢される。したがって、この付勢力が指による押し下げ力に加わって、ロッド３８が下降していく。
一方、下降位置からロッド３８を指によって引き上げると、ねじりコイルバネ３９ｂがピン３９ｃを支点として上側に回転しながらピン３８ａが上方にスライドしていき、ピン３８ａがピン３９ｃより上方に達すると、ねじりコイルバネ３９ｂによって、ピン３８ａが上方に付勢される。したがって、この付勢力が指による引き上げ力に加わって、ロッド３８が上昇していく。
このように、ロッド３８を昇降させる際に、支持部３９のねじりコイルバネ３９ｂによってクリック感が得られるとともに、ロッド３８を確実に昇降させることができる。
なお、図５においては、ねじりコイルバネ３９ｂを２つ表示しているが、これはロッド３８の上昇位置におけるねじりコイルバネ３９ｂと、下降位置におけるねじりコイルバネ３９ｂとを説明の都合上同時に表示したもので、ねじりコイルバネ３９ｂは一つである。
【００２３】
また、前記ガイド部材３６は、他方の雨戸５の合掌框１４ｄの下端部の室内側側面にビスによって取り付けられる取付板３６ｂと、この取付板３６ｂに直角に接合された断面Ｌ字状の延出板３６ｃとから構成されており、この延出板３６ｃが落とし錠３５側に延出している。そして、この延出板３６ｃの先端部に、前記ロッド３８が上方から挿通される挿通孔３６ａが形成されている。延出板３６ｃの長さは、両雨戸５，５の合掌框１４ｃ，１４ｄが互いに当接した際に、挿通孔３６ａがロッド３８の直下に位置するように、設定されている。また、挿通孔３６ａの大きさは、ロッド３８の断面より若干大きくなっている。
【００２４】
前記落とし錠受け３７は、帯板状の固定板３７ａと、この固定板３７ａに下方に突出するようにして形成された下凸部３７ｂとから構成されており、この下凸部３７ｂには、固定３７ａの表面に開口する孔３７ｃが形成されている。一方、下枠３ｂには孔が形成されており、この孔に前記下凸部３７ｂを挿通したうえで、固定板３７ａを下枠３ｂに固定することによって、落とし錠受け３７が下枠３ｂに設けられている。このような落とし錠受け３７は、両雨戸５，５を閉じてそれらの合掌框１４ｃ，１４ｄが互いに当接した際に、孔３７ｃがロッド３８の直下に位置するように、下枠３に取り付けられている。
【００２５】
上記のような落とし錠３５を備えた雨戸装置１では、両開きにスライド開閉自在に設けられる両雨戸５，５の合掌框１４ｃ，１４ｄを互いに当接して雨戸５，５を閉じると、他方の雨戸５の合掌部１４ｄに設けられたガイド部材３６の延出板３６ｃが一方の雨戸５の合掌框１４ｃに設けられた落とし錠３５側に位置して、落とし錠３５のロッド３８の直下にガイド部材３６の挿通孔３６ａが位置する。また、この挿通孔３６ａの直下に、落とし錠受け３７の孔３７ｃが位置する。
この状態で、落とし錠３５のロッド３８を指で押し下げて下降操作すると、該ロッド３８がガイド部材３６の挿通孔３６ａを挿通したうえで、落とし錠受け３７の孔３７ｃに挿入されて、落とし錠受け３７に固定される。これによって雨戸５，５が閉じた状態で施錠される。
また、解錠する場合は、落とし錠３５のロッド３８を指で引き上げて上昇操作して、該ロッド３８を落とし錠受け３７の孔３７ｃとガイド部材３６の挿通孔３６ａから抜き取ればよい。
このように、両開きの雨戸５，５においても、一つの落とし錠３５で施錠・解錠を行えるので、コストを抑えるとともに、施錠・解錠操作が簡単になる。
【００２６】
また、図３に示すように、雨戸５の上框１４ａには、上キャッチャー（上係合部）４０が設けられており、上枠３ａには、この上キャッチャー４０に係脱可能に係合する上キャッチャー受け（上被係合部）４１が設けられている。
さらに、雨戸５の下框１４ｂには、下キャッチャー（下係合部）４５が設けられており、下枠３ｂには、この下キャッチャー４５に係脱可能に係合する下キャッチャー受け（下被係合部）４６が設けられている。
【００２７】
そして、上記のような上下のキャッチャー４０，４５と、上下のキャッチャー受け４１，４６とを備えた雨戸装置１では、雨戸５，５の全開時に、下キャッチャー４５が下キャッチャー受け４６に係合するので、雨戸５，５を開状態の位置でロックできる。また、下キャッチャー４５が下キャッチャー受け４６に係合することによって、雨戸５，５の下端部が保持されるので、雨戸５，５の転びを防止できる。
また、雨戸５，５を閉方向にスライドさせると、下キャッチャー４５の頭部４０ｄが下キャッチャー受け４６のローラ４１ｅ，４１ｅを外側に押し開きながら該ローラ４１ｅ，４１ｅから外れる。
このように、下キャッチャー４５が下キャッチャー受け４６から外れるので、雨戸の開ロック状態を容易に解除できる。
【００２８】
また、雨戸５，５の全閉時に、上キャッチャー４０が上キャッチャー受け４１に係合するので、雨戸５，５を閉状態の位置で別々にロックできる。したがって、一方の雨戸５だけを閉状態の位置にロックできる。
また、雨戸５，５を開方向にスライドさせると、上キャッチャー４０の頭部４０ｄが上キャッチャー受け４１のローラ４１ｅ，４１ｅを外側に押し開きながら該ローラ４１ｅ，４１ｅから外れる。
このように、上キャッチャー４０が上キャッチャー受け４１から外れるので、雨戸５，５の閉ロック状態を容易に解除できる。
【００２９】
なお、本実施の形態では、本発明の雨戸装置を両開きにスライド開閉自在に設けられる２枚建ての雨戸５，５について適用した場合を例にとって説明したが、本発明の雨戸装置は、図６および図７に示すように、両開きにスライド開閉自在に設けられる４枚建ての雨戸について適用してもよい。
すなわち図６および図７に示すように、この雨戸装置５１は、建物の開口部に設けられた窓５２の室外側に配置される上枠５３ａ、下枠５３ｂ及び左右の縦枠５３ｃ，５３ｃからなる枠５３と、上枠５３ａと下枠５３ｂ間に引違いで左右両開きに開閉可能に設けられる４枚建ての内外の雨戸５４，５４，５５，５５とを備えている。前記窓５２は引違い窓サッシであり、上枠５２ａ、下枠５２ｂ及び左右の縦枠５２ｃ，５２ｃからなる枠内に引違いにスライド開閉自在に設けられた内外の障子５７，５８とを備えている。
【００３０】
雨戸装置５１の枠５３は、上枠５３ａと下枠５３ｂの両端部相互間に縦枠５３ｃ，５３ｃを挟み込んでネジ止めにより組み立ててなり、上枠５３ａ及び下枠５３ｂの両端部が露出する横通し組立構造が採用されている。上枠５３ａ及び下枠５３ｂの両端部には端部キャップが取り付けられている。前記枠５３の上枠５３ａ及び下枠５３ｂが建物の躯体の外壁に固着具例えばネジ１１で固定されている。なお、上枠５３ａと下枠５３ｂは、前記雨戸装置１の上枠３ａと下枠３ｂより外側に突出している。
また、雨戸装置５１は、閉鎖時に中央で突合される左右一対の外雨戸５５，５５と、両側の一対の内雨戸５４，５４とからなる、内−外−外−内の配置構成になっている。内外の雨戸５４，５５は、前記雨戸５と同様に、上框１４ａ、下框１４ｂ及び左右の縦框である合掌框１４ｃ，１４ｄと戸先框１４ｅからなる框組内にパネル１５を組込んで構成されている。
【００３１】
前記上枠５３ａには、内雨戸５４の上部をスライド可能に支持する内雨戸用のスライドレール５６ａと、外雨戸５５の上部をスライド可能に支持する外雨戸用のスライドレール５６ｂとが設けられており、これら内雨戸用のスライドレール５６ａ及び外雨戸用のスライドレール５６ｂを介して内雨戸５４と外雨戸５５が全開時に重なった状態で両縦枠５３ｃより外側（外側方）に突出した状態に保持されるようになっている。
前記スライドレール５６ａ，５６ｂは、前記雨戸装置１のスライドレール４と同様の構造であるので、これらの説明は省略する。
なお、外雨戸用のスライドレール５６ｂは内雨戸５４の上部に設けてもよい。
【００３２】
また、前記下枠５３ｂには、内雨戸５４の下部をスライド可能に支持する内雨戸用の下スライドレール６０が設けられ、内雨戸５４の下部には外雨戸５５の下部をスライド可能に支持する外雨戸用の下スライドレール６１が設けられられている。
前記下スライドレール６０，６１は、前記雨戸装置１の下スライドレール３０と同様の構造であるので、これらの説明は省略する。
【００３３】
そして、このような雨戸装置５１では、図７に示すように、両開きにスライド開閉する外雨戸５５，５５のうち、一方の雨戸５５の合掌框（合掌部）１４ｃに、前記雨戸装置１の落とし錠３５と同じ構造の落とし錠３５が設けられている。また、他方の外雨戸５５の合掌框（合掌部）１４ｄの下端部には、落とし錠３５側に延出する、前記雨戸装置１のガイド部材３６と同じ構造のガイド部材３６が設けられている。一方、雨戸装置５１の下枠５３ｂには、落とし錠受け３７が設けられている。なお、落とし錠３５、ガイド部材３６、落とし錠受け３７は、雨戸装置１の説明の際に既に説明したので省略する。
【００３４】
また、内雨戸５４の戸先框１４ｅ，１４ｅには、煙り返し５４ａ，５４ａが形成されており、この煙り返し５４ａ，５４ａは、雨戸全閉時に、縦枠５３ｃ，５３ｃに形成された受け部５４ｂ，５４ｂに係合するようになっており、これによって、それ以上の内側へのスライド移動が規制されるようになっている。
また、外雨戸５５，５５の戸先框１４ｅ，１４ｅには、煙り返し５５ａ，５５ａが形成されており、この煙り返し５５ａ，５５ａは、雨戸全閉時に、内雨戸５４の合掌框１４ｃ，１４ｄに形成された煙り返し５５ｂ，５５ｂに係合するようになっており、これによって、それ以上の内側へのスライド移動が規制されるようになっている。
【００３５】
したがって、前記落とし錠３５によって、外雨戸５５，５５を全閉状態で施錠すると、外雨戸５５，５５がロックされるとともに、煙り返し５４ａ，５４ａが受け部５４ｂ，５４ｂに係合するとともに、煙り返し５５ａ，５５ａが煙り返し５５ｂ，５５ｂに係合することによって、内雨戸５４，５４もロックされる。したがって、４枚建ての雨戸５４，５４，５５，５５においても、一つの落とし錠３５で施錠・解錠を行えるので、コストを抑えるとともに、施錠・解錠操作が簡単になる。
【００３６】
また、雨戸装置５１では、図６に示すように、外雨戸５５の上框１４ａには、上キャッチャー（上係合部）４０が設けられており、上枠３ａには、この上キャッチャー４０に係脱可能に係合する上キャッチャー受け（上被係合部）４１が設けられている。
さらに、外雨戸５５の下框１４ｂには、下キャッチャー（下係合部）４５が設けられており、下枠３ｂには、この下キャッチャー４５に係脱可能に係合する下キャッチャー受け（下被係合部）４６が設けられている。
【００３７】
そして、雨戸５４，５４，５５，５５の全開時に、下キャッチャー４５が下キャッチャー受け４６に係合するので、雨戸５４，５４，５５，５５を開状態の位置でロックできる。また、下キャッチャー４５が下キャッチャー受け４６に係合することによって、外雨戸５５，５５の下端部が保持されるとともに、外雨戸５５，５５にうち雨戸５４，５４は下スライドレール３０を介して連結されているので、雨戸５４，５４，５５，５５の転びを防止できる。
また、雨戸５４，５４，５５，５５を閉方向にスライドさせると、下キャッチャー４５が下キャッチャー受け４６から外れるので、雨戸の開ロック状態を容易に解除できる。
【００３８】
また、雨戸５４，５４，５５，５５を閉方向に向けて閉じるようにスライドさせていくと、雨戸５４，５４，５５，５５の全閉時に、上キャッチャー４０が上キャッチャー受け４１に係合するので、雨戸５４，５４，５５，５５を閉状態の位置で別々にロックできる。したがって、一方の雨戸５４，５５だけを閉状態の位置にロックできる。
また、雨戸５４，５４，５５，５５を開方向にスライドさせると、上キャッチャー４０が上キャッチャー受け４１から外れるので、雨戸５４，５４，５５，５５の閉ロック状態を容易に解除できる。
【００３９】
また、本実施の形態では、本発明を戸袋なしの雨戸装置に適用したが、戸袋有りの雨戸装置に適用することもできる。
また、本実施の形態では、雨戸５，５４，５５の下端部を下スライドレール３０，６０，６１によってスライド開閉自在に支持したが、この下スライドレール３０，６０，６１は省略してもよい。
【図面の簡単な説明】
【００４０】
【図１】本発明に係る雨戸装置の一例を示すもので、全閉時の室外側正面図である。
【図２】同、全開時の室外側正面図である。
【図３】同、雨戸装置の縦断面図である。
【図４】同、雨戸装置の平断面図である。
【図５】同、落とし錠を示すもので、（ａ）は正面図、（ｂ）は側面図、（ｃ）は平面図である。
【図６】本発明に係る雨戸装置の他の例を示すもので、雨戸装置の縦断面図である。
【図７】同、雨戸装置の平断面図である。
【符号の説明】
【００４１】
１，５１  雨戸装置
２，５２  窓
３ａ，５３ａ  上枠
３ｂ，５３ｂ  下枠
３，５３  枠
４，５６ａ，５６ｂ  スライドレール
５，５４，５５  雨戸
１４ｃ，１４ｄ  合掌框（合掌部）
３０，６０，６１  下スライドレール
３５  落とし錠
３６  ガイド部材
４６ａ  挿通孔
３７  落とし錠受け
【図１】
2007120149.tif 000003
【図２】
2007120149.tif 000004
【図３】
2007120149.tif 000005
【図４】
2007120149.tif 000006
【図５】
2007120149.tif 000007
【図６】
2007120149.tif 000008
【図７】
2007120149.tif 000009